(57)【要約】【課題】扉の開閉に伴う損傷の発生や操作力増加の虞がない筐体装置を提供すること。【解決手段】ロック機構４の施錠操作により回動する扉係合部材５をクランク部材として上下にスライド移動し、ケース本体１の開口部の内周縁部に係合する上下２本のロッド７、８を備えた筐体装置において、クランク部材として動作する扉係合部材５と２本のロッド７、８の連結部に、扉側連結部材１３、１４とロッド側連結部材１５、１６によりくの字型となる連結部材を設け、２本のロッド７、８が何れもロック機構４の回動軸４Ａを通る直線Ｌ上においてスライド移動するようにしたもの。【選択図】図１
2012151295.tif 000002
【特許請求の範囲】
【請求項１】
一面に開口部を有する箱型のケース本体と、前記開口部の一方の側の端部に蝶番により保持した扉と、前記扉の裏面において上下にスライド移動し前記ケース本体の前記開口部の内周縁部に係合する上下２本のロッドと、これら２本のロッドをスライド移動させるクランク部材が回転軸に設けられているロック機構とを備えた筐体装置において、
前記クランク部材と前記２本のロッドの連結部に各々くの字型の連結部材を設け、
前記２本のロッドが各々前記回動軸を通る上下方向の直線上においてスライド移動するように構成したことを特徴とする筐体装置。
【発明の詳細な説明】
【技術分野】
【０００１】
本発明は、防滴防湿構造の筐体装置に係り、特に、電子装置の保護とメンテナンスに好適な開き戸形式の扉を備えた筐体装置に関する。
【背景技術】
【０００２】
例えば携帯電話の基地局装置など屋外に設置して運用される電子装置や可搬型として屋外で運用される電子装置の場合、当該電子装置に必要な各種の電子回路や回路装置を筐体に収容して使用するのが通例であるが、このときメンテナンスなどを考慮して、内部の点検が簡単に行えるような筐体構造にするのが通例である。
【０００３】
そこで、このような従来技術による筐体装置の一例について、図５〜図８により説明する。
まず、これらの図において、１はケース本体、２は扉、３はパッキング材(パッキン)、４はロック機構、５は扉係合部材、６は蝶番、７は上ロッド、８は下ロッド、９は上ガイド部材、そして１０は下ガイド部材である。
なお、図８では、上ガイド部材９が省略されている。
ここで、まず、ケース本体１は電子装置を収納する筐体となるもので、図示のように一面が開口部になった箱型の筐体として作られ、この開口部の一方の側板端部に扉２が蝶番６により開閉可能に保持されている。
【０００４】
そして、このとき扉２の周辺部にはパッキング材３が貼り付けてある。
次に、ロック機構４は回転軸４Ａを備え、この回転軸４Ａの表面側に平面ハンドル４Ｂを保持させ、内面側には略Ｚ形の金具で作られている扉係合部材５を保持させたもので、ケース本体１の開口部を扉３により閉じた後、扉２の表面にある平面ハンドル４Ｂを廻すことにより扉係合部材５が回動し、これによりケース本体１の開口縁部１Ｅに扉係合部材５の先端部５Ａが係合し、留め金具として機能するようになっている。
【０００５】
このとき扉係合部材５には、上ロッド７の下端部と下ロッド８の下端部が夫々回転軸４Ａの左右に対象な位置で回動可能に連結させてあり、これにより平面ハンドル４Ｂを廻すと扉係合部材５がクランク部材として動作し、これに連結されている上ロッド７と下ロッド８を各々上下反対方向にスライド移動させ、所望の位置まで動かされるようになっている。
そして、このときの上ロッド７と下ロッド８の上下移動が、上ガイド部材９と下ガイド部材１０により案内され、所望の位置で所望の方向に移動することになる。
【０００６】
ここで、これら図５〜図８では、何れもロック機構４が施錠され扉係合部材５が係合位置にされている状態が示され、このとき特に図６と図８では、更に扉３が閉じられている状態が明瞭に示されている。
従って、この場合、図５において、扉係合部材５が時計廻りに回動されれば扉係合部材５の先端部５Ａがケース本体１の開口外周縁部１Ａから外れ、同時に上ロッド７は下方向に動かされ、下ロッド８は上方向に動かされてロック機構４の施錠が解除されることになる。
【０００７】
ここで、いま、図５〜図８に示されているように、ロック機構４が施錠されていた場合、扉係合部材５の先端部５Ａがケース本体１の開口外周縁部１Ａに係合しているのは勿論であるが、同時に上ロッド７は、上方向にストローク限度まで動かされて、上記した所望の位置にあり、下ロッド８は、下方向にストローク限度まで動かされて、上記した所望の位置にある。
【０００８】
ここで、上記した“所望の位置”とは、特に図８から明らかなように、扉２を閉じた状態で、上ロッド７の先端部７Ａと下ロッド８の先端部８Ａが夫々ケース本体１の開口内周縁部１Ｂに係合し、扉２をケース本体１側に引き寄せてケース本体１の開口外周縁部１Ａに押し付け、間に介在されているパッキング材３が所望の強さで圧縮された状態になる位置のことであるが、このとき上ロッド７の先端部７Ａと下ロッド８の先端部８Ａは先細りテーパー形に形成してある。
【０００９】
従って、扉２が最終的に閉じられた位置になる過程で、これら先細りテーパー形に形成した部分がケース本体１の内周縁部に少しずつ係合して行き、最後に閉じられたときに扉２がケース本体１側に強く引き寄せられ、ケース本体１の開口縁部１Ａに強い力で押し付け、間に介在されているパッキング材３が圧縮された状態になる。
【００１０】
この結果、パッキング材３による封止機能が働き、これによりケース本体１と扉２の間に所望の気密性が与えられ、従って、この筐体装置に電子装置を収納すれば、屋外での運用にも充分に耐えることができ、メンテナンスにも容易に対応できることになる。
なお、このような電子装置収容用の筐体装置に関する先行技術としては、例えば特許文献１の開示をあげることができる。
【先行技術文献】
【特許文献】
【００１１】
【特許文献１】特開平９−１８１４７１号公報
【発明の概要】
【発明が解決しようとする課題】
【００１２】
上記従来技術に係る筐体装置は、パッキング材に均等な押圧を与える点について配慮がされておらず、扉部分の気密性保持に問題があった。
従来技術に係る筐体装置の場合、特に図５〜図７に示されているように、上ロッド７と下ロッド８が横にずれて配置されており、従って、蝶番６からみて異なった位置に配置されてしまう。そして、この図の場合、下ロッド８の方が上ロッド７よりも蝶番６に近い位置にある。
【００１３】
そうすると、この場合、特に図６と図７に示されているように、下ロッド８が丁度、ケース本体１の開口内周縁部１Ｂに係合したときでも、上ロッド７は、まだ開口内周縁部１Ｂには達せず、差Δだけ僅かに手前の位置にある。
これは、扉２がケース本体１の左右の一方の端縁に蝶番６により保持され、この蝶番６を回動軸として開閉するため、扉２の蝶番６とは反対側の端縁部は、開閉動作時、蝶番６を中心軸とする円弧に沿って動くからであり、従って、この場合、下ロッド８は、特に無理無く開口内周縁部１Ｂに係合して行くが、しかし、上ロッド７は、差Δ分だけ開口内周縁部１Ｂに干渉し、開口内周縁部１Ｂに半ば無理矢理に係合して行くことになる。
【００１４】
この結果、従来技術の筐体装置の場合、扉２を閉じる際、平面ハンドル４Ａに大きな力を加える必要があり、且つ、ロッドによりケース本体１に損傷を与えてしまう虞がある。
しかも、このとき、上ロッド７による係合位置は上側であるのに対して上ロッド７による係合位置は下側であるから、閉じたときに扉２の上と下では、閉じた位置に差Δの違いが残り、パッキング材６が均等に押し付けられなくなってしまうので、パッキング材６による封止機能が完全には働かなくなってしまう虞があり、このため、従来技術においては、パッキング材に均等な押圧を与える点について配慮がされておらず、扉部分での気密性の保持に問題が生じてしまうのである。
【００１５】
本発明の目的は、扉の開閉に伴う損傷の発生や操作力増加の虞がない筐体装置を提供することにある。
【課題を解決するための手段】
【００１６】
上記目的は、一面に開口部を有する箱型のケース本体と、前記開口部の一方の側の端部に蝶番により保持した扉と、前記扉の裏面において上下にスライド移動し前記ケース本体の前記開口部の内周縁部に係合する上下２本のロッドと、これら２本のロッドをスライド移動させるクランク部材が回転軸に設けられているロック機構とを備えた筐体装置において、前記クランク部材と前記２本のロッドの連結部に各々くの字型の連結部材を設け、前記２本のロッドが各々前記回動軸を通る上下方向の直線上でスライド移動させるようにして達成される。
【発明の効果】
【００１７】
本発明の場合、ケース本体の開口部に扉を閉じ、ケース本体に扉を係合させたとき、当該係合のための扉の回動軸からの距離が当該扉の上下で同じになる。
従って、本発明によれば、ロッドによる係合位置が上下で同じになり、この結果、係合位置の相違によるケース本体の損傷が無く、上ロッドと下ロッドのスライド移動に必要な力が均等化されるので、ハンドル操作に必要な力が少なくて済む。
【図面の簡単な説明】
【００１８】
【図１】本発明による筐体装置の第１の実施形態を示す正面図である。
【図２】本発明の第２の実施形態を示す分解斜視図である。
【図３】本発明の第２の実施形態の組み立て説明図である。
【図４】本発明の第３の実施形態を示す分解斜視図である。
【図５】従来技術による筐体装置の一例を示す斜視図である。
【図６】従来技術による筐体装置の一例を示す縦断面図である。
【図７】従来技術による筐体装置の一例における一部拡大断面図である。
【図８】従来技術による筐体装置の一例を示す横断面図である。
【発明を実施するための形態】
【００１９】
以下、本発明に係る筐体装置について、図示の実施の形態により詳細に説明する。
図１は、本発明の第１の実施形態に係る筐体装置を、扉が開いている状態で示したもので、図において、１１、１２は回動軸、１３、１４は扉側連結部材(扉係合部材側連結部材)、１５、１６はロッド側連結部材であり、その他は、上記した従来技術の場合と同じである。
【００２０】
そして、ロック機構４を施錠することにより、扉係合部材５の先端部５Ａがケース本体１の開口外周縁部１Ａに係合され、これと同時に上ロッド７と下ロッド８は、夫々ケース本体１の開口内周縁部１Ｂに係合され、扉２が最終的に閉じられた位置になると、パッキング材３による封止機能が有効に働き、この結果、ケース本体１に電子装置を収納し、扉２を閉じてロック機構４を施錠してやれば、屋外での運用にも充分に耐えることができ、扉２の存在によりメンテナンスにも容易に対応できることになる点でも、上記した従来技術の場合と同じである。
【００２１】
しかしながら、この図１の実施形態においては、まず、上ロッド７と下ロッド８が何れもロック機構４の回動軸の中心を通る直線Ｌ上でスライド移動するように上ガイド部材９と下ガイド部材１０が配置されている点で、従来技術の場合とは異なっている。
そして、このため上ロッド７と下ロッド８が扉係合部材５に直接連結されているのではなく、ロッド側連結部材１５、１６と扉側連結部材１３、１４を介して扉係合部材５に連結されている点でも従来技術の場合とは異なっている。
【００２２】
ここで、まず、扉側連結部材１３とロッド側連結部材１５及び扉側連結部材１４とロッド側連結部材１６は、何れも図示の通り、“く”の字形の形状にしたままで接合固定され、これにより上ロッド７と下ロッド８の移動方向を、扉側連結部材１３、１４の移動方向から平行に夫々反対方向にずらし、上ロッド７と下ロッド８の移動方向が同一の直線Ｌ上に揃った状態になるのを可能にする。
このため、ロッド側連結部材１５と上ロッド７の接合部及び下ロッド８と連結部材１６の接合部は夫々回動軸１１、１２により折り曲げ回動可能に連結されている。
【００２３】
そうすると、この実施形態においては、上ロッド７と下ロッド８は何れも蝶番６から等距離の位置にある。
そこで、ロック機構４が外部ハンドル４Ａにより施錠操作された場合、上ロッド７と下ロッド８は、何れも蝶番６から等距離の位置にある直線Ｌに沿ってスライド移動されることになる。
そこで、この実施形態の場合、扉２を閉じてロック機構４を施錠操作した際、上ロッド７と下ロッド８はケース本体１の開口内周縁部１Ｂに同一のタイミングで当接し、同じ状態で係合されてゆくことになる。
【００２４】
従って、この実施形態によれば、ロッドによる係合位置が扉２の上下で同じになり、この結果、係合位置の相違によるケース本体１の損傷が無く、上ロッド７と下ロッド８のスライド移動に必要な力が均等化されるので、外部ハンドル４Ａによるロック機構４の施錠操作必要な力が少なくて済む。
【００２５】
しかも、このとき、パッキング材３には上下で均等な押圧力が与えられ、従って、良好な封止作用が得られるので、内部に収納した電子装置の保護に万全を期すことができる上、パッキング材３の劣化を少なく抑えることができるので、パッキング材３のメンテナンスが容易になる。
【００２６】
次に、本発明に係る筐体装置に電子装置を収納する場合を考慮した一実施の形態について、第２の実施形態として図２と図３により説明する。
ここで、この第２の実施形態筐体においては、まず、図２の上側の(a)に示すように、開き戸形式の扉２が備えられた箱型の外部筐体１Ａと、下側の(b)に示すように、同じく箱型をした内部筐体１７を用いる。
【００２７】
そして、この内部筐体１７の中に所望の電子機器(複数台の電子機器)を取り付けた上で、当該内部筐体１７を外部筐体１Ａの中に挿入するようにしてある。
従って、この第２の実施形態では、外部筐体１Ａが、図１により説明した第１の実施形態におけるケース本体１に相当する。
なお、その他の構成については、ここでは省略してある。
【００２８】
まず、図２の(a)図には扉２が限度まで開かれている状態が示され、ここで外部筐体１Ａの内部の上側には、下方に向かって垂直になった上側保持部材１８が複数個、並んで設けられ、下側には、上方に向かって垂直になった下側保持部材１９が、これも複数個、並んで設けられている。
ここで、これら上側保持部材１８と下側保持部材１９には、所望の大きさの雌ネジ孔が切ってある。
【００２９】
次に、図２の(b)図において、内部筐体１７の天井部の上側には、外部筐体１Ａの上側保持部材１８に対応して、上方向に垂直になった上側取付部材２０が複数個、並んで設けられ、底面部の下には、同じく下側保持部材１９に対応して、下方向に垂直になった下側取付部材２１が、同じく複数個、並んで設けられている。
更に、この内部筐体１７には、その下部周辺面と底面に円形の通気孔２２〜２５が夫々複数、形成してあり、このとき天井部分には、１個の通気孔２６だけが形成してある。
【００３０】
そして、この内部筐体１７の中に電源装置３０、制御回路装置３１、記録装置３２、回路基板３３など、この場合の電子装置に必要な各種の回路機器を各々所望の位置に取り付け、更に冷却用として、天井部の通気孔２６に電動ファン３４を取り付け、この後、外部筐体１Ａに内部筐体１７を挿入し、電子装置として組み立てることになる。
そこで、このときの組み立て方について、以下、図３により更に詳しく説明する。
【００３１】
ここで、この図３においては、内部筐体１７が前面部材２７を備えている場合について説明する。従って、ここに図示されている符号２８は、この前面部材２７に形成されている円形の通気孔を表わす。
なお、この図３では、前面部材２７が設けてある場合について説明するが、この前面部材２７は無くても実施可能である。
【００３２】
例えば、このときの冷却風の流れと放熱効果、堅牢性の見地に立てば前面部材を設けた方が良く、メンテナンスの面からすれば設けないほうが良いので、必要に応じて選択すれば良く、何れの場合でも外部筐体１Ａと内部筐体１７の関係には変わりはない。
【００３３】
ここで、まず、このときの電子装置に必要な回路装置(複数)を内部筐体１７の中に取り付け、次いで図３の(a)図に示すように、この内部筐体１７を外部筐体１Ａの中に挿入し、更に図３の(b)に示すように、内部筐体１７の上側取付部材２０と下側取付部材２１を、外部筐体１Ａの上側保持部材１８と下側保持部材１９の夫々にビス止めし、内部筐体１７を外部筐体１Ａに固定する。
【００３４】
そして、この後、図３の(c)に示すように、扉２を閉じ、図１の実施形態において説明した通り、ロック機構４の外部ハンドル４Ａを操作して施錠してやれば、外部筐体１Ａの開口部が扉２により閉じられ、内部にある電子装置が雨滴などから保護されることになる。
【００３５】
従って、この第２の実施形態によれば、筐体装置の内部が電動ファン３４により換気されるので、動作に伴う発熱が多い電子装置を収納しても温度上昇が抑えられ、従って、夏期など外気温度が高くなった場合や直射日光下で内部温度が上昇してしまう場合などでも電子装置の運用稼働が可能になる。
【００３６】
次に、本発明の第３の実施形態について、図４により説明する。
ここで、この図４に示す実施形態は、図２と図３で説明した第２の実施形態において、更に外部筐体１Ａの中にコネクタ部４０を設けた場合の一実施の形態であり、ここで４１は窪み部で、内部筐体１７に形成してある。
このときコネクタ部４０は、内部筐体１７の中に納められている電子装置に外部からケーブルを接続するための端子部であり、窪み部４１は、外部筐体１Ａの中に内部筐体１７を挿入したとき、コネクタ部４０を収容するための空所として機能する。
【００３７】
従って、この第３の実施形態によれば、筐体装置の内部が電動ファン３４により換気されるので、夏期など外気温度が高くなった場合や直射日光下で内部温度が上昇してしまう場合などでも電子装置の運用稼働が可能になる上、コネクタ部４０が備えられているので、電子装置を設置した際、必要なケーブルの接続が容易になるという効果を得ることができる。
【符号の説明】
【００３８】
１  ケース本体(電子装置収納用の筐体)
２  扉
３  パッキング材
４  ロック機構
４Ａ  平面ハンドル
５  扉係合部材
６  蝶番
７  上ロッド
８  下ロッド
９上ガイド部材
１０  下ガイド部材
１１、１２  回動軸
１３、１４  扉側連結部材(扉係合部材側連結部材)
１５、１６  ロッド側連結部材
１７  内部筐体
１８  上側保持部材
１９  下側保持部材
２０  上側取付部材
２１  下側取付部材
２２〜２６  通気孔
３０  電源装置
３１  制御回路装置
３２  記録装置
３３  回路基板
３４  電動ファン
【図１】
2012151295.tif 000003
【図２】
2012151295.tif 000004
【図３】
2012151295.tif 000005
【図４】
2012151295.tif 000006
【図６】
2012151295.tif 000007
【図７】
2012151295.tif 000008
【図８】
2012151295.tif 000009
【図５】
2012151295.tif 000010